(57)【要約】【課題】車載用ハンズフリー装置に登録された携帯通信端末のデバイスアドレスを使用してユーザを特定する際、携帯通信端末を変更した場合でも同一ユーザと認識し、設定及びユーザデータを引き継ぐ。【解決手段】プログラムは、車載用ハンズフリー装置に、ユーザが保有する携帯通信端末であって、予め車載用ハンズフリー装置に登録されている携帯通信端末のリストをユーザに提示する第１の手順（Ｓ０１）と、ユーザにより選択された引継ぎ元の携帯通信端末のデバイスアドレスをユーザ毎の設定及びユーザデータに対応させて記憶する第２の手順（Ｓ０９）と、その後、引継ぎ先の携帯通信端末と通信を行って、引継ぎ先の携帯通信端末からデバイスアドレスを取得する第３の手順（Ｓ１７でＹＥＳ）と、引継ぎ元の携帯通信端末のデバイスアドレスに対して引継ぎ先の携帯通信端末からデバイスアドレスを上書きして記憶する第４の手順（Ｓ２３）とを実行させる。【選択図】図１
2010178115.tif 000002
【特許請求の範囲】
【請求項１】
ユーザが保有する携帯通信端末と通信を行うことによりユーザ毎に設定及びユーザデータを切り替える機能を備える車載用ハンズフリー装置の動作を規定するプログラムであって、車載用ハンズフリー装置に、
ユーザが保有する携帯通信端末であって、予め車載用ハンズフリー装置に登録されている携帯通信端末のリストをユーザに提示する第１の手順と、
ユーザにより選択された引継ぎ元の携帯通信端末のデバイスアドレスをユーザ毎の設定及びユーザデータに対応させて記憶する第２の手順と、
その後、引継ぎ先の携帯通信端末と通信を行って、引継ぎ先の携帯通信端末からデバイスアドレスを取得する第３の手順と、
引継ぎ元の携帯通信端末のデバイスアドレスに対して引継ぎ先の携帯通信端末からデバイスアドレスを上書きして記憶する第４の手順と
を実行させるためのプログラム。
【請求項２】
ユーザが保有する携帯通信端末と通信を行うことによりユーザ毎に設定及びユーザデータを切り替える機能を備える車載用ハンズフリー装置の動作を規定するプログラムであって、車載用ハンズフリー装置に、
ユーザが保有する引継ぎ元の携帯通信端末と通信を行って、引継ぎ元の携帯通信端末からデバイスアドレスを取得する第１の手順と、
ユーザに対してパスワードの入力を促す第２の手順と、
ユーザにより入力されたパスワードを用いてユーザ本人を認証する第３の手順と、
認証に成功した後、ユーザが車載用ハンズフリー装置に対して行った設定及びユーザデータを引継ぎ元の携帯通信端末のデバイスアドレスに対応させて登録する第４の手順と、
その後、引継ぎ先の携帯通信端末と通信を行って、引継ぎ先の携帯通信端末からデバイスアドレスを取得する第５の手順と、
引継ぎ元の携帯通信端末のデバイスアドレスに対して引継ぎ先の携帯通信端末からデバイスアドレスを上書きして記憶する第６の手順と
を実行させるためのプログラム。
【発明の詳細な説明】
【技術分野】
【０００１】
本発明は、ユーザが保有する携帯通信端末と通信を行うことによりユーザ毎に設定及びユーザデータを切り替える機能を備える車載用ハンズフリー装置の動作を規定するプログラムに関する。
【背景技術】
【０００２】
従来、複数人が利用する車載ナビゲーション装置において、ユーザ毎に表示を切り替えたり、ユーザ保有の携帯電話の電話帳データを車載機装置に保存して使用したりするような要望があった。このような要望に対応する車載ナビゲーション装置としては、ユーザ毎の設定を記憶し、パスワード等の番号を入力させることによってユーザを特定し、特定したユーザに対応する設定を適宜読み出して実現するようなナビゲーション装置がある。
【０００３】
特許文献１においては、番号の入力の変わりに、Bluetooth（登録商標）登録された電
話機が接続された場合、音声対話によってユーザを特定している。また、特許文献２においては、有線接続した際は携帯電話の電話番号でユーザデータを紐付けし、Bluetooth接
続した際は電話番号を入力することによりユーザを特定している。
【先行技術文献】
【特許文献】
【０００４】
【特許文献１】特開2006-184103号公報
【特許文献２】特開2004-200924号公報
【発明の概要】
【発明が解決しようとする課題】
【０００５】
Bluetooth接続する車載用ハンズフリー装置において、Bluetooth機器固有の識別情報（ＩＤ）としてデバイスアドレスを用いて設定やユーザデータを紐付けしているが、新しい機器ではデバイスアドレスが変わるため、ユーザデータを引き継ぐことができない。
【０００６】
特許文献１では、ユーザの特定はできるが、電話機を変更した場合、同一ユーザという認識を行うことはできず、ユーザデータを引き継ぐことはできない。
【０００７】
特許文献２では、無線接続から無線接続へのユーザデータ引継ぎができず、また電話番号入力ではそもそもの番号の入力ミスや、誰でも成りすましてユーザデータを引き継ぐことが可能である。
【０００８】
また、パスワードの入力や音声対話等、ユーザを特定するために必要な作業は煩雑である。
【０００９】
本発明は、このような従来の課題に鑑みてなされたものであり、その目的は、ユーザ毎に設定及びユーザデータを切り替える車載用ハンズフリー装置において、車載用ハンズフリー装置に登録された携帯通信端末のデバイスアドレスを使用してユーザを特定する際、携帯通信端末を変更した場合でも同一ユーザと認識し、設定及びユーザデータを引き継ぐことを可能とした車載用ハンズフリー装置用プログラムを提供することである。
【課題を解決するための手段】
【００１０】
本発明の第１の特徴は、ユーザが保有する携帯通信端末と通信を行うことによりユーザ毎に設定及びユーザデータを切り替える機能を備える車載用ハンズフリー装置の動作を規
定するプログラムであって、車載用ハンズフリー装置に、ユーザが保有する携帯通信端末であって、予め車載用ハンズフリー装置に登録されている携帯通信端末のリストをユーザに提示する第１の手順と、ユーザにより選択された引継ぎ元の携帯通信端末のデバイスアドレスをユーザ毎の設定及びユーザデータに対応させて記憶する第２の手順と、その後、引継ぎ先の携帯通信端末と通信を行って、引継ぎ先の携帯通信端末からデバイスアドレスを取得する第３の手順と、引継ぎ元の携帯通信端末のデバイスアドレスに対して引継ぎ先の携帯通信端末からデバイスアドレスを上書きして記憶する第４の手順とを実行させるためのプログラムであることを要旨とする。
【００１１】
本発明の第１の特徴によれば、新しい携帯通信端末を登録する際、引継ぎ元の携帯通信端末のデバイスアドレスをユーザ毎の設定及びユーザデータに対応させて記憶する。その後、新しい携帯通信端末、すなわち引継ぎ先の携帯通信端末のデバイスアドレスを取得して、引継ぎ元の携帯通信端末のデバイスアドレスに対して上書き保存する。これにより、車載用ハンズフリー装置は引継ぎ元の携帯通信端末と引継ぎ先の携帯通信端末が共に同じユーザのものであると認識することでき、且つ予め車載用ハンズフリー装置に登録されている設定及びユーザデータを引継ぎ先の携帯通信端末へ引き継ぐことが可能となる。すなわち、携帯通信端末を変更した場合でも、デバイスアドレスという、唯一固有の識別情報（ＩＤ）を用いて同一のユーザを特定し、デバイスアドレスに紐付けされている設定及びユーザデータをデバイスアドレスの異なる新しい携帯通信端末へ引き継ぐことが可能となる。
【００１２】
ここで、「通信」には、ケーブル等の有線により接続して行う有線通信と、Bluetooth
等の無線通信とが含まれる。また、「携帯通信端末」には通信機能を備える携帯電話機や携帯オーディオ機器などが含まれる。
【００１３】
本発明の第２の特徴は、ユーザが保有する携帯通信端末と通信を行うことによりユーザ毎に設定及びユーザデータを切り替える機能を備える車載用ハンズフリー装置の動作を規定するプログラムであって、車載用ハンズフリー装置に、ユーザが保有する引継ぎ元の携帯通信端末と通信を行って、引継ぎ元の携帯通信端末からデバイスアドレスを取得する第１の手順と、ユーザに対してパスワードの入力を促す第２の手順と、ユーザが入力したパスワードを用いてユーザ本人を認証する第３の手順と、認証に成功した後、ユーザが車載用ハンズフリー装置に対して行った設定及びユーザデータを引継ぎ元の携帯通信端末のデバイスアドレスに対応させて登録する第４の手順と、その後、引継ぎ先の携帯通信端末と通信を行って、引継ぎ先の携帯通信端末からデバイスアドレスを取得する第５の手順と、引継ぎ元の携帯通信端末のデバイスアドレスに対して引継ぎ先の携帯通信端末からデバイスアドレスを上書きして記憶する第６の手順とを実行させるためのプログラムであることを要旨とする。
【００１４】
本発明の第２の特徴によれば、新しい携帯通信端末（引継ぎ先の携帯通信端末）を登録する際、元の携帯通信端末（引継ぎ元の携帯通信端末）を一旦再登録させ、新しい携帯通信端末を登録することで、両携帯通信端末が同じユーザのものであることを認識し、かつ登録作業のなかでパスワードの交換を行うことで、より高いセキュリティを確保しつつデータを引き継ぐことが可能となる。これにより、元の携帯通信端末が同一ユーザのものでなく、たまたま車室内にあるというようなシチュエーションにおいて、元の携帯通信端末からのパスワード入力を必要としたことで、勝手にデータを別の携帯通信端末へ引き継がれることを防止できる。
【発明の効果】
【００１５】
以上説明したように、本発明のプログラムによれば、ユーザ毎に設定及びユーザデータを切り替える車載用ハンズフリー装置において、車載用ハンズフリー装置に登録された携
帯通信端末のデバイスアドレスを使用してユーザを特定する際、携帯通信端末を変更した場合でも同一ユーザと認識し、設定及びユーザデータを引き継ぐことが可能となる。
【図面の簡単な説明】
【００１６】
【図１】本発明の第１の実施の形態に係わる車載用ハンズフリー装置の一例としてのハンズフリー電話装置１の構成を示すブロック図である。
【図２】電話機の引継ぎを行う際のハンズフリー電話装置１の動作例を示すフローチャートである。
【図３】第２の実施の形態に係わるハンズフリー電話装置１の動作例を示すフローチャートである。
【図４】図４（ａ）及び図４（ｂ）は第１の電話機２及び第２の電話機３の各デバイスアドレスＤＡ２、ＤＡ３に紐付けされたユーザデータの例を示す。
【発明を実施するための形態】
【００１７】
以下図面を参照して、本発明の実施の形態を説明する。図面の記載において同一部分には同一符号を付している。
（第１の実施の形態）
図１を参照して、本発明の第１の実施の形態に係わる車載用ハンズフリー装置の一例としてのハンズフリー電話装置１の構成を説明する。ハンズフリー電話装置１は、無線方式で携帯式の電話機２、３と接続する機能を備える。無線方式としてはBluetoothの無線通
信方式が利用される。その無線通信を行うために、ハンズフリー電話装置１は、電波の送受信を行うＢＴアンテナ４と、Bluetoothの処理を行うBluetooth処理部５とを備える。Bluetooth処理部５には、下位レイヤの処理を行う部分と、通信を行うためのプロトコルを
規定する部分と、Bluetoothの上位レイヤの処理を行う部分とが含まれている。
【００１８】
ハンズフリー電話装置１は、情報処理機能及び演算機能を備えるメインＣＰＵ１１と、電話機２、３から転送されたデータや、ユーザ操作、ユーザデータの記憶を行う記憶部６と、電話番号や携帯電話リスト、操作情報ボタンなどを表示する表示部７と、ユーザの操作入力を受け付ける操作入力部８と、音声出力用のスピーカ９と、音声入力用のマイク１０とを更に備える。
【００１９】
Bluetooth処理部５、記憶部６、表示部７、操作入力部８、スピーカ９及びマイク１０
はメインＣＰＵ１１に接続されている。メインＣＰＵ１１は、アンテナ４から受信した電話機２、３の情報を読み込み、アンテナ４を介して所定の指令信号を電話機２、３に対して送信する。
【００２０】
ユーザは、操作入力部８を操作して電話機２、３をハンズフリー電話装置１に登録することができる。その際、記憶部６に電話機２、３のデバイスアドレスＤＡ２、ＤＡ３をそれぞれ記憶する。ハンズフリー電話装置１と電話機２、３が接続されている状態でユーザが行った設定やユーザデータは、各デバイスアドレスＤＡ２、ＤＡ３と対応した状態で記憶部６へ記憶される。
【００２１】
例えば、ハンズフリー電話装置１がアンテナ４を介して電話機２、３と接続している状態で、電話機２、３に登録されている電話帳データや電話機２、３の発信履歴データ等のユーザデータをハンズフリー電話装置１へ無線通信により転送することができる。そして、ハンズフリー電話装置１は、その電話帳データを使用して相手にダイヤルして発信することで、ユーザはハンズフリー通話を行うことができる。電話機２、３の発信履歴のデータも接続している電話機２、３のデバイスアドレスに対応して記憶する。
【００２２】
ユーザは、発信履歴のデータにおける相手先の電話番号情報に対して、マイク１０を介
してボイスタグと呼ばれる音声データを登録してもよい。これにより、操作入力部８を介したダイヤルだけでなく、音声認識による簡単なダイヤルを行うことが可能である。
【００２３】
また、ハンズフリー電話装置１は、データ通信により電話機２、３から取得したユーザデータ及び設定を、デバイスアドレスＤＡ２、ＤＡ３という唯一固有の識別情報（ＩＤ）に基づいてユーザ毎に記憶する。そして、ハンズフリー電話装置１は、ユーザ毎にハンズフリー電話装置１の設定及びユーザデータを切り替える。図１において、第１の電話機２と第２の電話機３を示したが、それぞれ異なるデバイスアドレスＤＡ２、ＤＡ３を有する。
【００２４】
図４（ａ）及び図４（ｂ）に第１の電話機２及び第２の電話機３のデバイスアドレスに紐付けされたユーザデータの例を示す。本例において、第１の電話機２のデバイスアドレスＤＡ２は、「１１：１１：１１：１１」であり、第２の電話機３のデバイスアドレスＤＡ３は、「２２：２２：２２：２２」である。そして、ユーザデータには、電話帳データ、発着信履歴データ、データ通信データ、及びボイスタグ（Voice Tag）データが含まれ
る。
【００２５】
ここで、ハンズフリー電話装置１においてユーザデータはデバイスアドレスＤＡ２、ＤＡ３を識別情報として管理されるため、ユーザが電話機を買い換えるなどした際、保有する電話機２、３のデバイスアドレスＤＡ２、ＤＡ３が変更してしまう。ハンズフリー電話装置１は、保有する電話機２、３のデバイスアドレスＤＡ２、ＤＡ３が変更しても、ハンズフリー電話装置１に登録されている設定及びユーザデータを古い電話機から新しい電話機へ引き継ぐことができる。すなわち、ユーザが使用する電話機が変更されても、ハンズフリー電話装置１に対して行った設定やユーザデータを新しい携帯電話でも利用することができる。ここで、「古い電話機」は引継ぎ元の電話機に相当し、「新しい電話機」は引継ぎ先の電話機に相当する。
【００２６】
次に、図２のフローチャートを参照して、電話機の引継ぎを行う際のハンズフリー電話装置１の動作例を説明する。ここでは、第１の電話機２が古い電話機、つまり引継ぎ元の電話機であり、第２の電話機３が新しい電話機、つまり引継ぎ先の電話機である場合について説明する。
【００２７】
（イ）ユーザによる操作入力部８の所定の操作を受けて、ハンズフリー電話装置１の記憶部６に登録されているデバイスアドレスに対応する機器（電話機を含む）のリストを表示部７に表示させる。そして、ユーザに電話機の選択を促す。Ｓ０１段階において、ユーザにより選択された第１の電話機２に対して行うことができる操作群のリストを表示部７に表示させ、ユーザに操作の選択を促す。
【００２８】
（ロ）Ｓ０３段階に進み、ユーザによりデータ引継ぎボタンが押下げ操作されると、Ｓ０５段階に進み、ハンズフリー電話装置１はBluetooth処理部５、ＢＴアンテナ４を介し
て、選択された第１の電話機２に対してページ（Page）及びページスキャン（Page Scan
）を行い、Bluetoothの接続処理を開始する。
【００２９】
（ハ）Ｓ０７段階に進み、Bluetoothの接続に成功したか否かを判断する。接続に成功
した場合（Ｓ０７でＹＥＳ）Ｓ０９段階に進む。一方、接続に失敗した場合（Ｓ０７でＮＯ）Ｓ１１段階に進み、接続に失敗した旨を表示部７に表示させてＳ０１段階に戻る。
【００３０】
（ニ）Ｓ０９段階において、第１の電話機２と無線による通信を行って、第１の電話機２のデバイスアドレスＤＡ２を記憶部６から検索して記憶する。その後、Ｓ１３段階に進み、第２の電話機３に対してインクワイアリースキャン（Inquary Scan）を行う。そして
、第２の電話機３からインクワイアリー（Inquary）をＢＴアンテナ４及びBluetooth処理部５を介して受け取ると、そこから第２の電話機３のデバイスアドレスＤＡ３を取得する。
【００３１】
（ホ）Ｓ１５段階において、取得したデバイスアドレスＤＡ３が記憶部６に既に登録済みか否か、つまり新規登録か否かを判断する。登録済みであれば（Ｓ１５でＮＯ）、Ｓ１９段階に進み、登録が不可能である旨を表示部７に表示させ、Ｓ０１段階に戻る。
【００３２】
（へ）一方、登録済みで無ければ（Ｓ１５でＹＥＳ）、Ｓ１７段階に進み、第２の電話機３が新規に登録される電話機であると判断して記憶部６にそのデバイスアドレスＤＡ３を登録する。登録に失敗した場合（Ｓ１７でＮＯ）、登録に失敗した旨を表示部７に表示して、Ｓ１３段階に戻る。
【００３３】
（ト）一方、登録に成功した場合（Ｓ１７でＹＥＳ）、Ｓ２３段階に進み、Ｓ０９段階で記憶した第１の電話機２のデバイスアドレスＤＡ２を、Ｓ１７段階で登録された第２の電話機３のデバイスアドレスＤＡ３に上書きして記憶する。これにより、デバイスアドレスＤＡ２に対応して記憶しているユーザデータ及びハンズフリー電話装置１の設定は、デバイスアドレスＤＡ３に対応するユーザデータ及び設定となる。以上の手順にて引継ぎ登録が完了する。
【００３４】
以上説明したように、第２の電話機３をハンズフリー電話装置１に登録する際、引継ぎ元の電話機、すなわち第１の電話機２のデバイスアドレスＤＡ２をユーザ毎の設定及びユーザデータに対応させて記憶する。その後、引継ぎ元の電話機、すなわち第２の電話機３のデバイスアドレスＤＡ３を取得して、第２の電話機３のデバイスアドレスに対して上書き保存する。これにより、ハンズフリー電話装置１は第１の電話機２と第２の電話機３が共に同じユーザのものであると認識することでき、且つ予めハンズフリー電話装置１に登録されている設定及びユーザデータを第２の電話機３へ引き継ぐことが可能となる。すなわち、携帯式の電話機を変更した場合でも、デバイスアドレスＤＡという、唯一固有の識別情報（ＩＤ）を用いて同一のユーザを特定し、デバイスアドレスＤＡに紐付けされている設定及びユーザデータをデバイスアドレスＤＡの異なる新しい電話機へ引き継ぐことが可能となる。
（第２の実施の形態）
第２の実施の形態では、図３のフローチャートを参照して、図２のフローチャートに示した動作例とは異なるハンズフリー電話装置１の他の動作例を説明する。なお、ハンズフリー電話装置１の構成は、図１に示した通りであり説明を省略する。
【００３５】
（イ）Ｓ５１段階において、ユーザによる操作入力部８の所定の操作を受けて、Bluetooth処理部５、ＢＴアンテナ４を介して、第１の電話機２に対してページ（Page）及びペ
ージスキャン（Page Scan）を行い、Bluetoothの接続処理を開始する。
【００３６】
（ロ）Ｓ５３段階において、第１の電話機２との接続に成功したか否かを判断する。接続に成功した場合（Ｓ５３でＹＥＳ）Ｓ５５段階に進み、接続に失敗した場合（Ｓ５３でＮＯ）Ｓ５７段階に進み、接続に失敗した旨を表示部７に表示させてＳ５１段階に戻る。
【００３７】
（ハ）Ｓ５５段階において、第１の電話機２と無線による通信を行って、第１の電話機２のデバイスアドレスＤＡ２を取得して記憶部６に記憶する。Ｓ５９段階に進み、ユーザによるパスワードの入力を受け付け、Ｓ６１段階において、パスワードによるユーザ認証に成功したか否かを判断する。
【００３８】
（ニ）ユーザ認証に成功した場合（Ｓ６１でＹＥＳ）Ｓ６３段階に進む。一方、本人認
証に失敗した場合（Ｓ６１でＮＯ）Ｓ６５段階に進み、本人認証に失敗した旨を表示部７に表示させてＳ５５段階に戻る。Ｓ６３段階において、第１の電話機２と無線による通信を行って、ユーザがハンズフリー電話装置１に対して行った設定及びユーザデータを第１の電話機２のデバイスアドレスＤＡ２に対応させて登録する。
【００３９】
（ホ）Ｓ６７段階に進み、第２の電話機３に対してインクワイアリースキャン（Inquary Scan）を行う。そして、第２の電話機３からインクワイアリー（Inquary）をＢＴアン
テナ４及びBluetooth処理部５を介して受け取ると、インクワイアリーから第２の電話機
３のデバイスアドレスＤＡ３を取得する。
【００４０】
（へ）Ｓ６９段階において、取得したデバイスアドレスＤＡ３が記憶部６に既に登録済みか否か、つまり第２の電話機３が新規登録か否かを判断する。登録済みであれば（Ｓ６９でＮＯ）、Ｓ７１段階に進み、登録が不可能である旨を表示部７に表示させ、Ｓ５１段階に戻る。
【００４１】
（ト）一方、第２の電話機３が登録済みで無ければ（Ｓ６９でＹＥＳ）、Ｓ７３段階に進み、第２の電話機３が新規に登録される電話機であると判断して記憶部６にそのデバイスアドレスＤＡ３を登録する。登録に失敗した場合（Ｓ７３でＮＯ）、登録に失敗した旨を表示部７に表示して（Ｓ７５）、Ｓ６７段階に戻る。
【００４２】
（チ）一方、登録に成功した場合（Ｓ７３でＹＥＳ）、Ｓ７７段階に進み、Ｓ５５段階で記憶した第１の電話機２のデバイスアドレスＤＡ２を、Ｓ７３段階で登録された第２の電話機３のデバイスアドレスＤＡ３に上書きして記憶する。これにより、デバイスアドレスＤＡ２に対応して記憶しているユーザデータ及びハンズフリー電話装置１の設定は、デバイスアドレスＤＡ３に対応するユーザデータ及び設定となる。以上の手順にて引継ぎ登録が完了する。
【００４３】
以上説明したように、第２の電話機３を登録する際、第１の電話機２を一旦再登録させ、第２の電話機３を登録することで、両電話機２、３が同じユーザのものであることを認識し、かつ登録作業のなかでパスワードの交換を行うことで、より高いセキュリティを確保しつつユーザデータ及び設定を引き継ぐことが可能となる。これにより、第１の電話機２が同一ユーザのものでなく、たまたま車室内にあるというようなシチュエーションにおいて、第１の電話機２からのパスワード入力を必要としたことで、勝手にユーザデータを別の電話機へ引き継がれることを防止できる。
（その他の実施の形態）
上記のように、本発明は、２つの実施形態によって記載したが、この開示の一部をなす論述及び図面はこの発明を限定するものであると理解すべきではない。この開示から当業者には様々な代替実施の形態、実施例及び運用技術が明らかとなろう。
【００４４】
例えば、本発明に関わる車載用ハンズフリー装置は、ハンズフリー電話装置１に限らず、Bluetooth等の無線により接続可能な通信機器と接続される装置或いはシステムに対し
て適用可能である。例えばBluetoothオーディオ機器等のBluetooth機器と接続した際、その外部のBluetooth機器のデバイスアドレスに対応して車載用ハンズフリー装置が保持し
ている設定やユーザデータを、新しいBluetooth機器に対応付けしても構わない。これに
より、例えばBluetoothオーディオ機器を車載用ハンズフリー装置に登録し、そのBluetoothオーディオ機器に対応する例えば音楽データ、リスト表示等のユーザデータを、新しい機器へ引き継ぐことが可能となる。
【００４５】
このように、本発明はここでは記載していない様々な実施の形態等を包含するということを理解すべきである。したがって、本発明はこの開示から妥当な特許請求の範囲に係る
発明特定事項によってのみ限定されるものである。
【符号の説明】
【００４６】
１      ハンズフリー電話装置
２      第１の電話機（引継ぎ元の携帯通信端末）
３      第２の電話機（引継ぎ先の携帯通信端末）
４      ＢＴアンテナ
５      処理部
６      記憶部
７      表示部
８      操作入力部
９      スピーカ
１０    マイク
１１    メインＣＰＵ
ＤＡ２、ＤＡ３  デバイスアドレス
【図１】
2010178115.tif 000003
【図２】
2010178115.tif 000004
【図３】
2010178115.tif 000005
【図４】
2010178115.tif 000006